(57)【要約】【課題】収容された金属製品の発錆を防止できる金属製品用の箱を得ること。【解決手段】箱本体１２の内部に、防錆シート１７を設ける。防錆シート１７は、収容された包丁１００の刃部１０２の下面側に設けられ、刃部１０２より小さい。防錆シート１７には、気化性防錆剤が含浸されている。【選択図】図４
0003212284.tif 000002
【実用新案登録請求の範囲】
【請求項１】
気化性防錆剤を有する防錆部材を内部に設けた金属製品用の箱。
【請求項２】
前記防錆部材は、前記気化性防錆剤を含浸させた防錆シートよりなる請求項１に記載の金属製品用の箱。
【請求項３】
箱本体と、その箱本体の開放部を開閉するために、その箱本体に対して着脱可能にした蓋部材とを備え、前記箱本体は刃物を保持するための刃物保持部を有する請求項２に記載の金属製品用の箱。
【請求項４】
前記防錆シートを前記刃物保持部の底部に設けた請求項３に記載の金属製品用の箱。
【請求項５】
前記防錆シートを前記刃物保持部のブレード対応部分に設けた請求項４に記載の金属製品用の箱。
【請求項６】
箱本体内に中敷を備え、前記気化性防錆剤を前記箱本体、前記蓋部材及び前記中敷の少なくともひとつに含浸させた請求項３に記載の金属製品用の箱。
【考案の詳細な説明】
【技術分野】
【０００１】
本考案は、例えば、包丁やナイフなどの金属製品を収納するための金属製品用の箱に関するものである。
【背景技術】
【０００２】
特許文献１には、刃物用のケースが開示されている。この特許文献１のケースは、刃物の刃部を被覆するものであって、全体として断面Ｖ字形状をなし、刃部の峰部側が開放されている。そして、刃物の刃面に対応する部分に防錆部が設けられている。
【先行技術文献】
【特許文献】
【０００３】
【特許文献１】実開昭６４−２５０７５号公報
【考案の概要】
【考案が解決しようとする課題】
【０００４】
特許文献１のケースにおいては、ケース全体がＶ字形状をなすために、ケースが刃物から脱落しやすいばかりでなく、刃物の刃部の峰部側が大きく開放されているため、防錆機能も十分なものではなかった。
【課題を解決するための手段】
【０００５】
上記の目的を達成するために、本考案は、揮発性防錆剤を有する防錆部材を内部に設けた金属製品用の箱であることを要旨としている。
以上の構成によれば、全体として箱状をなしているため、その箱が刃物から脱落することを防止できる。また、揮発性防錆剤が箱内に充満し、防錆効果を有効に発揮できる。
【考案の効果】
【０００６】
本考案によれば、箱内に収納された金属製品に対する防錆効果を有効に発揮できる効果がある。
【図面の簡単な説明】
【０００７】
【図１】実施形態の箱を示す斜視図。
【図２】蓋部材を開放した状態を示す箱の分解斜視図。
【図３】箱本体の断面図。
【図４】箱本体の平面図。
【考案を実施するための形態】
【０００８】
（実施形態）
以下に、本考案を具体化した実施形態を図面に従って説明する。
本実施形態は、包丁１００を収容する箱１１において具体化したものである。
【０００９】
図１及び図２に示すように、箱１１の箱本体１２は、上面を開放して構成されている。蓋部材１３は、スライド開閉タイプであって、全体として筒状をなし、端部の開口１４を介して箱本体１２に対して着脱されて、箱本体１２の上面の開放部を開閉する。
【００１０】
図２及び図３に示すように、箱本体１２内の一端部には、包丁１００のハンドル１０１を保持するためのスポンジなどの柔軟性を有する合成樹脂よりなる保持部材１５が収容されている。箱本体１２内の他端部には、包丁１００の刃部１０２の一側面を下側から受けるための刃物保持部を構成する中敷きとしての台紙１６が収容されている。
【００１１】
図３及び図４に示すように、台紙１６のブレード対応部分である上面には、防錆部材としての防錆シート１７が貼付されている。この防錆シート１７は、包丁１００の刃部１０２より小さい外形を有し、包丁１００の箱本体１２内への収容状態では外部から存在を視認できないようになっている。
【００１２】
そして、この防錆シート１７は、基材が紙によって形成され、その紙に気化性防錆剤が含浸されている。この防錆剤は、わずかな量ずつ気化して、大気中を漂う。この気化性防錆材は複数種類のもののうちから特定のものが選択して採用される。これらの気化性防錆材は、刃部１０２に付着して、その刃部１０２に吸着されたり、刃部１０２の表面に防錆薄膜を形成したりする。このようにして、刃部１０２を含む包丁１００の金属部分の発錆が抑制される。
【００１３】
従って、本実施形態は以下のように作用する。
箱１１の箱本体１２を蓋部材１３によって覆った状態においては、箱本体１２内の空間に防錆シート１７から気化した防錆剤が充満しており、この防錆剤が包丁１００の刃部１０２に付着して、吸着されたり、防錆被膜を形成したりするため、刃部１０２の発錆が防止される。従って、発錆による包丁１００の外観や切断機能の低下を防止でき、ひいては商品価値の低下などを防止できる。しかも、防錆シート１７は、蓋部材１３を箱本体１２から外した状態においては、その存在を視認できないため、パッケージ全体の商品価値が低下することを回避できる。
【００１４】
従って、本実施形態においては、以下の効果がある。
（１）防錆シート１７により包丁１００の刃部１０２を含む金属部分の発錆を防止できるため、包丁１００の外観低下や切断機能の低下を防止できるとともに、包丁パッケージとしての商品価値の低下を避けることができる。
【００１５】
（２）防錆シート１７は、蓋部材１３を箱本体１２から取り外した状態においても、外部から視認できないため、包丁パッケージの外観低下を防止して、前記と同様に、商品価値の低下を回避できる。
【００１６】
（３）薄い防錆シート１７を用いたため、その防錆シート１７がパッケージの邪魔になることはなく、従って、箱本体１２や蓋部材１３、あるいは台紙１６の形状や構造変更は不要であって、既存の箱本体１２や蓋部材１３を転用することができる。
【００１７】
（４）防錆シート１７は台紙１６の上面に貼付されているだけであるため、防錆シート１７の箱１１内への組み込みは容易である。
（５）刃部１０２など金属部分の防錆のために、刃部１０２にオイルペーパーを巻いたり、オイルを塗布したりすることが不要になるため、箱本体１２の汚れや、臭い、あるいは外観低下を防止できるとともに、包丁１００の使用前において、包丁１００のオイル落としのための面倒な洗浄が不要になる。従って、商品パッケージとして、高い商品価値を維持できる。
【００１８】
（変更例）
本考案は、前記実施形態に限定されるものではなく、以下のような態様で具体化することもできる。
【００１９】
・防錆シート１７を前記実施形態以外のところ、例えば、台紙１６の裏面、箱本体１２の内面、蓋部材１３の内面などに設けること。
・防錆シート１７を設けることなく、気化性防錆剤を箱本体１２，蓋部材１３，台紙１６，スポンジよりなる保持部材１５などのうちの少なくともひとつに含浸させること。このようにすれば、箱１１の部品点数の増加を抑えることができる。
【００２０】
・包丁１００以外の金属製品、例えば、ナイフ用の箱において本考案を具体化すること。
【符号の説明】
【００２１】
１１…箱、１２…箱本体、１３…蓋部材、１７…防錆部材としての防錆シート。
【図１】
0003212284.tif 000003
【図２】
0003212284.tif 000004
【図３】
0003212284.tif 000005
【図４】
0003212284.tif 000006